(57)【要約】【課題】作動液の貯留量が少なくかつ車両が傾動した状態でも、エアの吸引を抑制して、できるだけ多くの作動液を確保する。【解決手段】液貯留室５ｆ，５ｇに延設された作動液供給ポート５ａ，５ｂの開口部５ｎ，５ｒは、作動液供給ポート５ａ，５ｂの径方向に形成され、且つ、液貯留室５ｆ，５ｇ内に開口し、更に開口部５ｎ，５ｒの対向する側には、所望高さを有し液貯留室５ｆ，５ｇを少なくとも補償液量確保室５ｖ，５ｘと補償液量補給室５ｗ，５ｙに区画する仕切り壁６０を備えており、更に補償液量確保室５ｖ，５ｘと補償液量補給室５ｗ，５ｙとの間の液移動を可能とする連通路５０，５１を備える。【選択図】  図３
2012136145.tif 000002
【特許請求の範囲】
【請求項１】
複数の隔壁により区画、および又は隔壁と外周壁により区画された作動液を貯留することが可能な作動液貯留室を少なくとも備え、一端が外周壁の下部から外方に突設されるとともに他端が前記作動液貯留室に延設された作動液供給ポートを有するリザーバタンクにおいて、  前記作動液貯留室に延設された作動液供給ポートの開口部は、当該作動液供給ポートの径方向に形成され、且つ、前記作動液貯留室内に開口し、更に前記開口部の対向する側には、所望高さを有し作動液貯留室を少なくとも補償液量確保室と補償液量補給室に区画する仕切り壁を備えており、更に前記補償液量確保室と補償液量補給室との間の液移動を可能とする連通路を備えていることを特徴とするリザーバタンク。
【請求項２】
前記他端の作動液供給ポートの開口部は、前記補償液量確保室に対して開口しており、また、前記仕切り壁は、該仕切り壁と交差する方向に屈曲延伸された屈曲延伸部とが一体的に成形されていることを特徴とする請求項１記載のリザーバタンク。
【請求項３】
前記仕切り壁の水平方向の断面は、Ｌ字型、あるいは円弧状であることを特徴とする請求項１又は２に記載のリザーバタンク。
【請求項４】
前記仕切り壁は、該リザーバタンクの短手方向に伸びる仕切り部と該リザーバタンクの長手方向に伸びる前記屈曲延伸部とが一体成形されていることを特徴とする請求項１〜４のいずれかに記載のリザーバタンク。
【請求項５】
前記仕切り壁は、前記作動液供給ポートの開口部の近傍に配置し、前記開口部は、前記仕切り壁と隔壁あるいは外周壁により囲まれていることを特徴とする請求項１〜４のいずれかに記載のリザーバタンク。
【請求項６】
前記補償液量確保室は、前記補償液量補給室よりも小さいことを特徴とする請求項１又は２に記載のリザーバタンク。
【請求項７】
補償液量確保室は、前記外周壁と前記仕切り壁を構成要素に含み、前記連通路は、前記仕切り壁に成形されるスリットを構成要素に含んでいることを特徴とする請求項１に記載のリザーバタンク。
【請求項８】
作動液を貯留するリザーバタンクと、前記リザーバタンク内の作動液が配管、あるいは液通路を介して供給されるとともに作動時にブレーキ液圧を発生するマスタシリンダと、を少なくとも備え、前記リザーバタンクが請求項１〜７のいずれか一つに記載のリザーバタンクであることを特徴とするマスタシリンダ。
【請求項９】
作動液を貯留するリザーバタンクと、前記リザーバタンク内の作動液が配管、あるいは液通路を介して供給されるとともに作動時にブレーキ液圧を発生するマスタシリンダと、前記マスタシリンダからの液圧で作動するブレーキシリンダと、を少なくとも備え、前記リザーバタンクが請求項１〜７のいずれか一つに記載のリザーバタンクであることを特徴とするブレーキ装置。
【発明の詳細な説明】
【技術分野】
【０００１】
本発明は、油圧等の液圧を利用した液圧ブレーキ装置等の液圧作動装置に用いられ、マスタシリンダから離間して配設されかつ作動液を貯留するリザーバタンク、これを用いて液圧を発生するためのマスタシリンダ、およびこのマスタシリンダを備えたブレーキ装置の各技術分野に関するものである。
【背景技術】
【０００２】
従来、自動車等の車両においては、液圧を利用した液圧作動装置として液圧ブレーキ装置を採用した車両がある。この液圧ブレーキ装置には、液圧を発生させるマスタシリンダが用いられているとともに、このマスタシリンダに供給する作動液を貯留するリザーバタンクが用いられている。
【０００３】
このリザーバタンクおよびマスタシリンダを用いた従来の液圧ブレーキ装置として、リザーバ本体の径外方向にマスタシリンダ側に接続されるポートが形成されている。このポートは、予め水平方向に対して、所定角度だけ傾斜して形成され、マスタシリンダのプライマリ側とセカンダリ側に各々接続されている。
また、リザーバ本体側に嵌入するポートの一端は、フロート室近傍まで嵌入し、その近傍には、リザーバ本体を形成する外周壁、リザーバ本体内の作動液貯留量を検出するフロート室を構成する隔壁、プライマリ側とセカンダリ側を区画する仕切り壁が配置されている。（例えば、特許文献１参照）。
【先行技術文献】
【特許文献】
【０００４】
【特許文献１】特許第４３２７６５２号
【発明の概要】
【発明が解決しようとする課題】
【０００５】
特許文献１に記載のリザーバタンクでは、次の点が懸念される。
例えば、リザーバ本体内に貯留されている作動液が少ない（リザーバ本体のＭＩＮライン程度しか作動液が貯留されていない）場合や、このリザーバ本体が車両に搭載され、その車両が傾動することにより液面変動が生じている場合に、自動ブレーキ装置や横滑り防止装置（ＥＳＣ）が作動し、液圧制御ユニット（ＨＵ）のポンプが作動すれば、リザーバ本体内の作動液とともに、リザーバ本体内のエアを吸引する可能性が生じる。
【０００６】
本発明はこのような事情に鑑みてなされたものであって、その目的は、作動液の貯留量が少なくかつ車両が傾動した状態でも、エアの吸引を抑制して、できるだけ多くの作動液を確保することができるリザーバタンク、これを用いたマスタシリンダ、およびこのマスタシリンダを備えたブレーキ装置を提供することである。
【課題を解決するための手段】
【０００７】
前述の課題を解決するために、本発明のリザーバタンクでは、複数の隔壁により区画、および又は隔壁と外周壁により区画された作動液を貯留することが可能な作動液貯留室を少なくとも備え、一端が外周壁の下部から外方に突設されるとともに他端が前記作動液貯留室に延設された作動液供給ポートを有するリザーバタンクにおいて、前記作動液貯留室に延設された作動液供給ポートの開口部は、当該作動液供給ポートの径方向に形成され、且つ、前記作動液貯留室内に開口し、更に前記開口部の対向する側には、所望高さを有し作動液貯留室を少なくとも補償液量確保室と補償液量補給室に区画する仕切り壁を備えており、更に前記補償液量確保室と補償液量補給室との間の液移動を可能とする連通路を備えていることを特徴としている。
【０００８】
また、本発明のリザーバタンクでは、前記他端の作動液供給ポートの開口部は、前記補償液量確保室に対して開口しており、また、前記仕切り壁は、該仕切り壁と交差する方向に屈曲延伸された屈曲延伸部とが一体的に成形されていることを特徴としている。
【０００９】
更に、本発明のリザーバタンクでは、前記仕切り壁の水平方向の断面は、Ｌ字型、あるいは円弧状であることを特徴としている。
【００１０】
更に、本発明のリザーバタンクでは、前記仕切り壁は、該リザーバタンクの短手方向に伸びる仕切り部と該リザーバタンクの長手方向に伸びる前記屈曲延伸部とが一体成形されていることを特徴としている。
【００１１】
更に、本発明のリザーバタンクでは、前記仕切り壁は、前記作動液供給ポートの開口部の近傍に配置し、前記開口部は、前記仕切り壁と隔壁あるいは外周壁により囲まれていることを特徴としている。
【００１２】
更に、本発明のリザーバタンクでは、前記補償液量確保室は、前記補償液量補給室よりも小さいことを特徴としている。
【００１３】
更に、本発明のリザーバタンクでは、補償液量確保室は、前記外周壁と前記仕切り壁を構成要素に含み、前記連通路は、前記仕切り壁に成形されるスリットを構成要素に含んでいることを特徴としている。
【００１４】
更に、本発明のマスタシリンダは、作動液を貯留するリザーバタンクと、前記リザーバタンク内の作動液が配管、あるいは液通路を介して供給されるとともに作動時にブレーキ液圧を発生するマスタシリンダと、を少なくとも備え、前記リザーバタンクが請求項１〜７のいずれか一つに記載のリザーバタンクであることを特徴としている。
【００１５】
更に、本発明のブレーキ装置は、作動液を貯留するリザーバタンクと、前記リザーバタンク内の作動液が配管、あるいは液通路を介して供給されるとともに作動時にブレーキ液圧を発生するマスタシリンダと、前記マスタシリンダからの液圧で作動するブレーキシリンダと、を少なくとも備え、前記リザーバタンクが請求項１〜７のいずれか一つであることを特徴としている。
【発明の効果】
【００１６】
このように構成された本発明のリザーバタンクによれば、複数の隔壁により区画、および又は隔壁と外周壁により区画された作動液を貯留することが可能な作動液貯留室を少なくとも備え、一端が外周壁の下部から外方に突設されるとともに他端が前記作動液貯留室に延設された作動液供給ポートを有するリザーバタンクにおいて、前記作動液貯留室に延設された作動液供給ポートの開口部は、当該作動液供給ポートの径方向に形成され、且つ、前記作動液貯留室内に開口し、更に前記開口部の対向する側には、所望高さを有し作動液貯留室を少なくとも補償液量確保室と補償液量補給室に区画する仕切り壁を備えており、更に前記補償液量確保室と補償液量補給室との間の液移動を可能とする連通路を備えている。
これにより、リザーバタンクの傾斜に応じて、補償液量確保室内の作動液の液面が低下しても、補償液量補給室からの作動液の補給を行うことができ、前記開口部が液面下に埋没するので、自動ブレーキ装置や横滑り防止装置（ＥＳＣ）が作動し、液圧制御ユニット（ＨＵ）のポンプが作動しても、リザーバ本体内のエアを吸引する可能性がない。
【００１７】
また、本発明のリザーバタンクによれば、前記他端の作動液供給ポートの開口部は、前記補償液量確保室に対して開口しており、また、前記仕切り壁は、該仕切り壁と交差する方向に屈曲延伸された屈曲延伸部とが一体的に成形されている。
更に、本発明のリザーバタンクによれば、前記仕切り壁の水平方向の断面は、Ｌ字型、あるいは円弧状である。
これにより、リザーバタンクの傾斜に応じて、補償液量確保室の作動液が補償液量補給室側に液移動することを抑制することができ、前記開口部が液面下に埋没するので、自動ブレーキ装置や横滑り防止装置（ＥＳＣ）が作動し、液圧制御ユニット（ＨＵ）のポンプが作動しても、リザーバ本体内のエアを吸引する可能性がない。また、補償液量確保室の作動液が補償液量補給室側に液移動することを抑制することを確実にすることができる。
【００１８】
更に、本発明のリザーバタンクによれば、前記仕切り壁は、該リザーバタンクの短手方向に伸びる仕切り部と該リザーバタンクの長手方向に伸びる前記屈曲延伸部とが一体成形されている。また、前記仕切り壁は、前記作動液供給ポートの開口部の近傍に配置し、前記開口部は、前記仕切り壁と隔壁あるいは外周壁により囲まれているので、補償液量確保室の作動液が補償液量補給室側に液移動することを抑制することを確実にするとともに、前記液移動の容量を低減させ、補償液量確保室内に多くの作動液を貯留することができる。
【００１９】
更に、本発明のリザーバタンクによれば、前記補償液量確保室は、前記補償液量補給室よりも小さいので、必要最小限の作動液で対応可能である。
【００２０】
更に、本発明のリザーバタンクによれば、補償液量確保室は、前記外周壁と前記仕切り壁を構成要素に含み、前記連通路は、前記仕切り壁に成形されるスリットを構成要素に含んでおり、容易に形成することが可能である。
【００２１】
更に、本発明のマスタシリンダによれば、作動液を貯留するリザーバタンクと、前記リザーバタンク内の作動液が配管、あるいは液通路を介して供給されるとともに作動時にブレーキ液圧を発生するマスタシリンダと、を少なくとも備え、前記リザーバタンクが請求項１〜７のいずれか一つであるため、前記マスタシリンダと前記リザーバタンクとが別位置に配置されるタイプであっても、前記マスタシリンダの直上位置に前記リザーバタンクが配置されるタイプであっても良く、種々の車両に採用することが可能である。
【００２２】
更に、本発明のブレーキ装置によれば、作動液を貯留するリザーバタンクと、前記リザーバタンク内の作動液が配管、あるいは液通路を介して供給されるとともに作動時にブレーキ液圧を発生するマスタシリンダと、前記マスタシリンダからの液圧で作動するブレーキシリンダと、を少なくとも備え、前記リザーバタンクが請求項１〜７のいずれか一つであるため、リザーバタンクの傾斜に応じて、補償液量確保室内の作動液の液面が低下しても、補償液量補給室からの作動液の補給を行うことができ、前記開口部が液面下に埋没するので、自動ブレーキ装置や横滑り防止装置（ＥＳＣ）が作動し、液圧制御ユニット（ＨＵ）のポンプが作動しても、リザーバ本体内のエアを吸引する可能性がない。
【図面の簡単な説明】
【００２３】
【図１】（ａ）は本発明に係るリザーバタンクの実施の形態の一例を用いたマスタシリンダを備えたブレーキ装置を模式的に示す図、（ｂ）は（ａ）においてIB方向から見た部分拡大図である。
【図２】（ａ）は図１に示す例のリザーバタンクの平面図、（ｂ）はこのリザーバタンクの右側面図である。
【図３】は図２（ａ）においてリザーバタンクの上半体を除いて示す図である。
【発明を実施するための形態】
【００２４】
以下、図面を用いて、本発明を実施するための形態について説明する。
図１（ａ）は本発明に係るリザーバタンクの実施の形態の一例を用いたマスタシリンダを備えたブレーキ装置を模式的に示す図、図１（ｂ）は図１（ａ）においてIB方向から見た部分拡大図である。
【００２５】
図１（ａ）に示すように、この例の液圧ブレーキ装置１は、基本的に従来公知の一般的な２系統の液圧ブレーキ装置と同じである。すなわち、液圧ブレーキ装置１は、ブレーキペダル２、負圧倍力装置等からなるブレーキ倍力装置３、タンデムマスタシリンダ４、リザーバタンク５、リザーバタンク接続コネクタ６、２系統のブレーキ用作動液供給配管であるホース７，８、２系統のブレーキシリンダ９，１０、２系統のブレーキ液圧配管１１，１２、及び車両安定制御装置などのブレーキ液圧制御装置１３を備えている。
【００２６】
タンデムマスタシリンダ４は、従来公知のタンムデマスタシリンダと同様に、シリンダ本体内に液密にかつ摺動可能に挿入されたプライマリピストン４ａ、このプライマリピストン４ａにより区画形成されたプライマリ液圧室４ｂ、シリンダ本体内に液密にかつ摺動可能に挿入されたセカンダリピストン４ｃ、及びこのセカンダリピストン４ｃにより区画形成されたセカンダリ液圧室４ｄを有している。
【００２７】
リザーバタンク５はタンデムマスタシリンダ４から離間して配設される。このリザーバタンク５は筒状の一対のブレーキ用作動液供給プライマリポート５ａおよびブレーキ用作動液供給セカンダリポート５ｂを有する。なお、図１において、５ｃは図示しないクラッチ用マスタシリンダにクラッチ用作動液を供給するためのクラッチ用作動液供給ポートであり、５ｄは作動液をリザーバタンク５内に注入するための作動液注入口である。すなわち、作動液が作動液注入口５ｄからブレーキ用作動液およびクラッチ用作動液としてリザーバタンク５内に注入される。なお、本発明においては、リザーバタンク５内の作動液がブレーキ用作動液およびクラッチ用作動液に共通である場合には単に作動液と記載し、また、ブレーキ用作動液またはクラッチ用作動液に個別である場合にはそれぞれブレーキ用作動液またはクラッチ用作動液と記載する。
【００２８】
リザーバタンク接続用コネクタ６は、この例ではタンデムマスタシリンダ４の上方に装着される。このリザーバタンク接続用コネクタ６は一対のリザーバタンク接続用ニップル６ａ，６ｂを有する。リザーバタンク５の一方のブレーキ用作動液供給プライマリポート５ａとリザーバタンク接続用コネクタ６の一方のリザーバタンク接続用ニップル６ａとが２系統の一方のホース７を介して互いに接続されるとともに、リザーバタンク５の他方のブレーキ用作動液供給セカンダリポート５ｂとリザーバタンク接続用コネクタ６の他方のリザーバタンク接続用ニップル６ｂとが２系統の他方のホース８を介して互いに接続される。
【００２９】
また、リザーバタンク接続用コネクタ６の一方のリザーバタンク接続用ニップル６ａは、シリンダ本体に設けられ、かつプライマリ液圧室４ｂに連通する図示しないプライマリ作動液供給孔に接続されている。更に、リザーバタンク接続用コネクタ６の他方のリザーバタンク接続用ニップル６ｂは、シリンダ本体に設けられ、かつセカンダリ液圧室４ｄに連通する図示しないセカンダリ作動液供給孔に接続されている。
【００３０】
そして、リザーバタンク５内のブレーキ用作動液が各ホース７，８およびリザーバタンク接続用コネクタ６を介してそれぞれタンデムマスタシリンダ４のプライマリ液圧室４ｂおよびセカンダリ液圧室４ｄに供給される。タンデムマスタシリンダ４に供給されたブレーキ用作動液は、更に２系統のブレーキ液圧配管１１，１２を介してそれぞれ各系統のブレーキシリンダ９，１０に供給されるようになっている。
【００３１】
ブレーキ液圧制御装置１３は所定の作動条件により作動して、ブレーキ液圧制御装置１３の図示しないポンプによりリザーバタンク内のブレーキ用作動液をタンデムマスタシリンダ４を介して吸い込み、吸い込んだブレーキ用作動液により自動的にブレーキを作動するとともにそのブレーキ液圧の制御を行う。
【００３２】
運転手がブレーキペダル２を踏み込むと、ブレーキ倍力装置３が作動してペダル踏力を所定のサーボ比で倍力して出力する。このブレーキ倍力装置３の出力でタンデムマスタシリンダ４のプライマリピストン４ａが作動してプライマリ液圧室４ｂのブレーキ用作動液を一方の系統のブレーキシリンダ９にブレーキ液圧配管１１を介して送給する。また、セカンダリピストン４ｃが作動してセカンダリ液圧室４ｄのブレーキ用作動液を他方のロスストロークが消滅すると、タンデムマスタシリンダ４がブレーキ液圧を発生する。このタンデムマスタシリンダ４のブレーキ液圧が各ブレーキシリンダ９，１０に伝達され、各ブレーキシリンダ９，１０がブレーキ力を発生して、各系統の車輪１４，１５にブレーキがかけられる。
【００３３】
また、ブレーキ液圧制御装置１３の所定の作動条件が成立すると、ブレーキ液圧制御装置１３が作動し、このブレーキ液圧制御装置１３のポンプによりリザーバタンク５内のブレーキ用作動液が、ブレーキ用作動液供給プライマリポート５ａおよびブレーキ用作動液供給セカンダリポート５ｂ、ホール７，８、リザーバタンク接続用ニップル６ａ，６ｂ、タンデムマスタリンダ４、およびブレーキ液圧配管１１，１２を介して吸い込まれる。そして、吸い込まれたブレーキ用作動液がそれぞれ各系統のブレーキシリンダ９，１０に供給されることで、自動ブレーキが行われる。このとき、自動ブレーキのブレーキ力が所望の大きさになるようにブレーキ液圧がブレーキ液圧制御装置１３により制御される。
【００３４】
図２（ａ）はこの例のリザーバタンクの平面図、図２（ｂ）はこのリザーバタンクの右側側面図（図２（ａ）において右方から見た図）、図３は、図２（ａ）においてリザーバタンクの上半体を除いて示す図である。
【００３５】
図２（ａ），（ｂ）および図３（ａ）に示すように、リザーバタンク５はその水平断面が略矩形状に形成され、その長辺が車両前後方向または略車両前後方向となるように車両に搭載される。また、リザーバタンク５の一対のブレーキ用作動液供給プライマリポート５ａおよびブレーキ用作動液供給セカンダリポート５ｂは、リザーバタンク５の車両後方側の外周壁５ｕの下部から車両左側方に突設される（なお、各ブレーキ用作動液供給プライマリポート５ａおよびブレーキ用作動液供給セカンダリポート５ｂは、リザーバタンク５の車両右側方に突設することもできる。）。リザーバタンク５内には、従来公知のリザーバタンクと同様に隔壁５ｅにより、プライマリ液貯留室５ｆ、セカンダリ液貯留室５ｇ、クラッチ用作動液貯留室５ｈ、および液面検出室５ｉが区画形成されている。各室５ｆ，５ｇ，５ｈ，５ｉは公知のリザーバタンクと同様にして互いに連通している。
【００３６】
ブレーキ用作動液供給プライマリポート５ａの内孔５ｊはリザーバタンク５内でプライマリ液貯留室５ｆまで直線状に延設されているとともに、他方のブレーキ用作動液供給セカンダリポート５ｂの内孔５ｏもリザーバタンク５内でセカンダリ液貯留室５ｇまで直線状に延設されている。また、ブレーキ用作動液供給プライマリポート５ａの内孔５ｊのプライマリ液貯留室側端は閉塞壁５ｋにより閉じられ、ブレーキ用作動液供給セカンダリポート５ｂの内孔５ｏのプライマリ液貯留室側端は閉塞壁５ｐにより閉じられている。更に、ブレーキ用作動液供給プライマリポート５ａの内孔５ｊを形成する部分のプライマリ液貯留室側端部５ｍの周壁には、略矩形状のプライマリ液供給口５ｎが開口され、ブレーキ用作動液供給セカンダリポート５ｂの内孔５ｏを形成する部分のセカンダリ液貯留室側端部５ｑの周壁には、略矩形状のプライマリ液供給口５ｒが開口されている。
【００３７】
つまり、この例のリザーバタンク５においては、プライマリ液貯留室５ｆがプライマリ液供給口５ｎ、内孔５ｊ、ホース７、及びリザーバタンク接続用ニップル６ａを介してタンデムマスタシリンダ４のプライマリ液圧室４ｂと連通するようになる。そして、セカンダリ液貯留室５ｇがセカンダリ液供給口５ｒ、内孔５ｏ、ホース８、及びリザーバタンク接続用ニップル６ｂを介してタンデムマスタシリンダ４のセカンダリ液圧室４ｄと連通するようになる。
【００３８】
プライマリ液供給口５ｎに対向する側には、所望高さを有しプライマリ液貯留室５ｆを少なくとも２つの室に区画する仕切り壁６０を備え、これによりプライマリ側補償液量確保室５ｖとプライマリ側補償液量補給室５ｗに区画される。同様にセカンダリ液供給口５ｑに対向する側には、所望高さを有しセカンダリ液貯留室５ｇを少なくとも２つの室に区画する仕切り壁６０を備え、これによりセカンダリ側補償液量確保室５ｘとプライマリ側補償液量補給室５ｙに区画される。
なお、この例のリザーバタンク５では、プライマリ側補償液量補給室５ｗ、プライマリ側補償液量補給室５ｙは、１つしか形成していないが、これについては、複数設定しても良い。また、この例のリザーバタンク５においては、各補償液量確保室は、各補償液量補給室よりも小さく設定されているが、これは作動液の有効利用を考慮したためである。
【００３９】
プライマリ側補償液量確保室５ｖとプライマリ側補償液量補給室５ｗとの間には、仕切り壁６０に成形されるスリット５２から成り、作動液の液移動を可能とする連通路５０が備えられている。また、同様にセカンダリ側補償液量確保室５ｘとセカンダリ側補償液量補給室５ｙとの間には、仕切り壁６０に成形されるスリット５３から成り、作動液の液移動を可能とする連通路５１が備えられている。なお、この例のリザーバタンク５においては、連通路５０，５１は、スリット５２，５３により構成されているが、作動液の液移動が可能であれば、それ以外の構成であっても良い。
【００４０】
また、仕切り壁６０は、この仕切り壁６０と交差する方向に屈曲延伸された屈曲延伸部６２とが一体的に成形され、その水平断面は、Ｌ字型を呈している。この水平断面については、Ｌ字型に限定されることではなく、円弧状であっても良い。
【００４１】
更に、仕切り壁６０は、リザーバタンク５の短手方向に伸びる仕切り部６１とリザーバタンク５の長手方向に伸びる屈曲延伸部６２とが一体成形され、更に、仕切り壁６０は、プライマリ液供給口５ｎ、およびセカンダリ液供給口５ｒの近傍に配置し、プライマリ液供給口５ｎ、およびセカンダリ液供給口５ｒは、仕切り壁６０と隔壁５あるいは外周壁５ｕにより囲まれている。
【００４２】
この例のリザーバタンク５では、上述の構造および形状を呈しており、特許文献１で挙げたリザーバタンクのように、リザーバタンク５内に貯留されている作動液の液面がＭＩＮ近傍で、且つ、車両が前方傾斜（図１（ａ）において左側が下方に傾斜している場合）している時は、プライマリ側補償液量確保室５ｖ、セカンダリ側補償液量確保室５ｘは、仕切り壁６０、隔壁５あるいは外周壁５ｕにより囲まれているため、プライマリ側補償液量確保室５ｖ、セカンダリ側補償液量確保室５ｘ内に貯留されていた作動液は、プライマリ側補償液量補給室５ｗ、セカンダリ側補償液量補給室５ｙ側に移動することが規制され、これによりプライマリ液供給口５ｎ、セカンダリ液供給口５ｒは、作動液の液面より下方に埋没した状態を確保する。この時に、自動ブレーキ装置や横滑り防止装置（ＥＳＣ）が作動し、液圧制御ユニット（ＨＵ）のポンプが作動すれば、リザーバ本体内の作動液とともに、リザーバ本体内のエアを吸引する可能性が低くなる。
そして、車両が後方傾斜（図１（ａ）において右側が下方に傾斜している場合）している時は、プライマリ側補償液量補給室５ｗ、セカンダリ側補償液量補給室５ｙに貯留していた作動液をプライマリ側補償液量確保室５ｖ、セカンダリ側補償液量確保室５ｘに６０の高さを超えた作動液が移動し、プライマリ側補償液量確保室５ｖ、セカンダリ側補償液量確保室５ｘ内の作動液が増加することから、プライマリ液供給口５ｎ、セカンダリ液供給口５ｒは、作動液の液面より下方に埋没した状態を確保する。この時に自動ブレーキ装置や横滑り防止装置（ＥＳＣ）が作動し、液圧制御ユニット（ＨＵ）のポンプが作動すれば、リザーバ本体内の作動液とともに、リザーバ本体内のエアを吸引する可能性がない。
【００４３】
なお、仕切り壁６０に対して、所望の高さを備えているのは、車両が水平状態（リザーバタンク５も水平状態）にある時、一定量の作動液を貯留させておくために必要であり、この高さは、搭載するリザーバの車両毎に設定すれば良い。
また、仕切り壁６０は、プライマリ液供給口５ｎ、セカンダリ液供給口５ｒに近傍している方が作動液を確保する面で有効である。
【００４４】
本発明では、上述の例を用いて説明しているが、これに限定されるものではなく、種々の設計変更が可能である。例えば、前述の例では、内孔５ｊ、５ｏとプライマリ液供給口５ｎおよびセカンダリ液供給口５ｒとがそれぞれ直交またはほぼ直交するようにしているが、内孔５ｊ，５ｏとプライマリ液供給口５ｎおよびセカンダリ液供給口５ｒとはそれぞれ所定角度となるように設けることもできる。
【００４５】
また、図３に示す例では、一対のブレーキ用作動液供給プライマリポート５ａおよびブレーキ用作動液供給セカンダリポート５ｂが、リザーバタンク５内に配設される部分がリザーバタンク５に配設される部分より高くなるように傾斜して設けられているが、これらのブレーキ用作動液供給プライマリポート５ａおよびブレーキ用作動液供給セカンダリポート５ｂは水平または略水平に設けることができる。更に、マスタシリンダはタンデムに限定されることなくシングルマスタシリンダでも良い。その場合には、ブレーキ用作動液供給ポートは１つとなる。要は、本発明は特許請求の範囲に記載された事項の範囲内で、種々の設計変更が可能である。
【産業上の利用可能性】
【００４６】
本発明に係るリザーバタンクは、作動液を貯留するとともに配管によりマスタシリンダに接続されるリザーバタンクに好適に利用することができる。
また、本発明に係るリザーバタンクを用いたマスタシリンダは、油圧等の液圧を利用した液圧ブレーキ装置等の液圧作動装置に用いられ、液圧を発生するためのマスタシリンダに好適に利用することができる。
更に、本発明に係るブレーキ装置は、マスタシリンダを用いた液圧ブレーキ装置に好適に利用することができる。
【符号の説明】
【００４７】
１…液圧ブレーキ装置、２…ブレーキペダル、３…ブレーキ倍力装置、４…タンデムマスタシリンダ、５…リザーバタンク、５ａ…ブレーキ用作動液供給プライマリポート、５ｂ…ブレーキ用作動液供給セカンダリポート、５ｅ…隔壁、５ｆ…プライマリ液貯留室、５ｇ…セカンダリ液貯留室、５ｊ，５ｏ…内孔、５ｋ，５ｐ…閉塞壁、５ｍ…プライマリ液貯留室側端部，５ｑ…セカンダリ液貯留室側端部、５ｎ…プライマリ液供給口、５ｒ…セカンダリ液供給口、５ｖ…プライマリ側補償液量確保室、５ｗ…プライマリ側補償液量補給室、５ｘ…セカンダリ側補償液量確保室、５ｙ…セカンダリ側補償液量補給室、７，８…ホース、９，１０…ブレーキシリンダ、１１，１２…ブレーキ液圧配管、１３…ブレーキ液圧制御装置、５０，５１…連通路、５２，５３…スリット、６０…仕切り壁、６２…屈曲延伸部
【図１】
2012136145.tif 000003
【図２】
2012136145.tif 000004
【図３】
2012136145.tif 000005